(57)【特許請求の範囲】
【請求項１】
着座部と、上記着座部の後端部から上方に立ち上がる背もたれ部と、左右一対の肘掛部とを有する椅子部分と、この椅子部分の前下方に配置した足載せ用のフットレストと、椅子部分の前下部左右両側に配置されて電動モーターにより駆動される前輪と、椅子部分の後下部左右両側に配置された操向可能な後輪と、椅子部分の前方に配置された操舵手段とを備えた前輪が駆動輪の電動車椅子において、上記電動モーターを各々の前輪の内面側に設け、前輪の外周上縁の高さを上記着座部の上面とほぼ同じ高さに設定するとともに、前輪の前半部が上記着座部の前端よりも前方に突出してこの前半部が上記フットレストを左右両側から挟むように前輪の車軸の前後位置を設定し、且つ、上記左右の前輪の上部および前半部を車幅方向内側および上方から覆うホイールカバーを設けるとともに、上記ホイールカバーの車幅方向内側面を走行に伴う上半身の揺れ等を膝等下肢で支えることのできる下肢当接部に形成し、
上記背もたれ部の上下方向中間部に車幅方向に延びる角度調整軸を設け、この角度調整軸の高さを上記肘掛部の高さ付近に設定して上記背もたれ部の上半分の前後方向傾斜角度を調整可能にしたことを特徴とする電動車椅子。
【請求項２】
上記背もたれ部の上半分の前後方向傾斜角度を変更する角度変更手段を設け、この角度変更手段を操作する角度変更手段操作部を上記操舵手段の部分に設けた請求項１に記載の電動車椅子。
【請求項３】
上記背もたれ部の後面の上部左右両側に前方へ凹む左右一対の凹部を設け、この凹部に背もたれ部の後面に沿って上下方向または左右方向に延びる介助者用グリップを設け、この介助者用グリップの把持部前面に、上記電動モーターと上記前輪との間に設けられたクラッチ機構の接続を電気的に解除するクラッチ解除操作部を設けた請求項１または２に記載の電動車椅子。
【請求項４】
上記介助者用グリップが上下方向に延びる場合は上記クラッチ解除操作部を介助者用グリップの把持部の上端部に設け、介助者用グリップが左右方向に延びる場合はクラッチ解除操作部を介助者用グリップの把持部の内端部に設けた請求項３に記載の電動車椅子。
【発明の詳細な説明】
【技術分野】
【０００１】
本発明は、左右一対の前輪をそれぞれ独立した電動モーターで駆動し、後輪をキャスター等の従動輪形式とした電動車椅子に関するものである。
【背景技術】
【０００２】
このような電動車椅子の従来例が、特許文献１〜４等に開示されている。これら従来の電動車椅子は、使用者の手元に設けられたジョイスティックや操舵ハンドル等の操舵手段を操作することにより、左右の前輪の電動モーターを個別に操作して、前進、後進、停止、左右旋回、左右回転といった動きを可能にしている。
【特許文献１】特開２００２−２４８１３２号公報
【特許文献２】特開２００３−３３４２１８号公報
【特許文献３】特開２００２−２６３１４３号公報
【特許文献４】特開平９−２９４７７７号公報
【発明の開示】
【発明が解決しようとする課題】
【０００３】
特許文献１に開示されている電動車椅子は、駆動輪である前輪を大径化することで悪路での走破性を向上させているが、この電動車椅子の前輪は足載せ用のフットレストの側方まで前方に突出しているため、フットレストに載せた使用者の下肢および足部が前輪に干渉する懸念があり、使用者は常に下肢および足部を緊張した状態でいなければならない点と、電動車椅子の走行に伴う使用者の上半身の揺れを下肢（膝等）で支えることができない点から、長時間の使用には疲労が伴うものであった。
【０００４】
一方、特許文献２に開示されている電動車椅子は、前輪がフットレストよりも後方に配置されているので上述のような不具合はないが、前後輪間のホイールベースを長くできないので走行安定性が低下してしまうことと、フットレストの側方をガードする物がないので電動車椅子の旋回（回転）時にフットレストが障害物に当たる可能性が高いといった問題点がある。
【０００５】
また、特許文献３に開示されている電動車椅子は、上記二例の電動車椅子のように１つのレバーを前後左右に傾倒させることで前進、後進、停止、左右旋回、左右回転を指示するジョイスティックレバー方式に替えて、自動車のステアリングと同様な操舵ハンドルを備えており、特別な訓練を要せず容易に操縦可能にしたものである。
【０００６】
しかしながら、この場合は操舵ハンドルが使用者（椅子部分）の正面に配置され、使用者は両手または片手を前方に伸ばして操舵ハンドルを把持し、これを左右に回動操作する必要があるため、無意識に操舵ハンドルに近づこうとし、これにより使用者の上半身が背もたれ部から離れて上半身の安定性が損なわれやすい。
【０００７】
ところで、電動車椅子は身体が不自由な人が利用する機会が多く、例えば道路の段差等を乗り越える際には介助者の手助けを必要とする場合があり、このような場合に介助者は特許文献４に開示されている電動車椅子のように背もたれ部の後面に後方へ突出するように設けられた介助者用グリップを掴んで手助けする。
【０００８】
このように介助者が介助者用グリップを掴んで電動車椅子を動かす際、駆動輪が電動モーターと直結されていると駆動輪の回転により電動モーターが逆駆動されて駆動輪の回転が重くなるため、電動モーターと駆動輪との間に設けられたクラッチ機構の接続を解除するクラッチ解除操作レバーが介助者用グリップに設けられており、介助者はこのクラッチ解除操作レバーを握りながら介助者用グリップを掴んで電動車椅子を動かす。
【０００９】
ところが、このようなクラッチ解除操作レバーでは介助者が意識して握らないとクラッチ機構の接続を解除できないため操作が面倒であり、しかもクラッチ解除操作レバーとクラッチ機構との間が機械的なボーデンワイヤーで連結されているため、前輪が駆動輪である電動車椅子の場合はボーデンワイヤーが長くなってクラッチ解除操作レバーに多大な操作力を要し、介助者の負担が大きくなってしまう。
【００１０】
本発明は、上記問題点を解決するためになされたものであり、前後輪間のホイールベースを長くできるようにして走行安定性を向上させつつ、使用者の下肢および足部が前輪に干渉したりフットレストが障害物に当たることを防止して使用者をリラックスさせ、かつハンドル型の操舵手段を操作する使用者の上半身の安定性を向上させ、併せて介助者用グリップに設けられるクラッチ解除操作部の操作性を向上させるとともに、クラッチ解除操作部の誤操作を防止することのできる電動車椅子を提供することを目的とする。
【課題を解決するための手段】
【００１１】
上記目的を達成するため、本発明に係る電動車椅子は、特許請求の範囲の請求項１に記載したように、着座部と上記着座部の後端部から上方に立ち上がる背もたれ部と左右一対の肘掛部とを有する椅子部分と、この椅子部分の前下方に配置した足載せ用のフットレストと、椅子部分の前下部左右両側に配置されて電動モーターにより駆動される前輪と、椅子部分の後下部左右両側に配置された操向可能な後輪と、椅子部分の前方に配置された操舵手段とを備えた前輪が駆動輪の電動車椅子において、上記電動モーターを各々の前輪の内面側に設け、前輪の外周上縁の高さを上記着座部の上面とほぼ同じ高さに設定するとともに、前輪の前半部が上記着座部の前端よりも前方に突出してこの前半部が上記フットレストを左右両側から挟むように前輪の車軸の前後位置を設定し、且つ、上記左右の前輪の上部および前半部を車幅方向内側および上方から覆うホイールカバーを設けるとともに、上記ホイールカバーの車幅方向内側面を走行に伴う上半身の揺れ等を膝等下肢で支えることのできる下肢当接部に形成し、
上記背もたれ部の上下方向中間部に車幅方向に延びる角度調整軸を設け、この角度調整軸の高さを上記肘掛部の高さ付近に設定して上記背もたれ部の上半分の前後方向傾斜角度を調整可能にしたことを特徴とする。
【００１３】
さらに、本発明に係る電動車椅子は、請求項２に記載したように、上記背もたれ部の上半分の前後方向傾斜角度を変更する角度変更手段を設け、この角度変更手段を操作する角度変更手段操作部を上記操舵手段の部分に設けた。
【００１４】
そして、本発明に係る電動車椅子は、特許請求の範囲の請求項３に記載したように、上記背もたれ部の後面の上部左右両側に前方へ凹む左右一対の凹部を設け、この凹部に背もたれ部の後面に沿って上下方向または左右方向に延びる介助者用グリップを設け、この介助者用グリップの把持部前面に、上記電動モーターと上記前輪との間に設けられたクラッチ機構の接続を電気的に解除するクラッチ解除操作部を設けた。
【００１５】
また、本発明に係る電動車椅子は、特許請求の範囲の請求項４に記載したように、上記介助者用グリップが上下方向に延びる場合は上記クラッチ解除操作部を介助者用グリップの把持部の上端部に設け、介助者用グリップが左右方向に延びる場合はクラッチ解除操作部を介助者用グリップの把持部の内端部に設けた。
【発明の効果】
【００１６】
請求項１の発明によれば、左右の前輪の前半部を着座部よりも前方に位置させたことから前後輪間のホイールベースが長くなり、走行安定性が向上する。そして、前輪の前半部がフットレストを左右両側から挟むため、フットレストが障害物に当たることを防止できる。
【００１７】
前輪の前半部はホイールカバーにより車幅方向内側から覆われるため、使用者の下肢および足部が前輪に干渉することが防止され、使用者はリラックスした体勢で乗車することができる。しかも、電動車椅子の走行に伴う使用者の上半身の揺れを下肢（膝等）で支えることができるため、長時間の使用においても疲労が少ない。
【００１８】
使用者が操作性向上のために上半身をハンドル型の操舵手段に近づけても、背もたれ部の上半分の前後方向傾斜角度を使用者の上半身の位置に合わせて調整できるため、使用者の上半身の安定性を向上させることができる。
【００１９】
請求項２の発明によれば、使用者が自ら角度変更手段操作部を操作して角度変更手段を動かすことにより、背もたれ部の上半分の前後方向傾斜角度を最適な角度に容易に調整することができる。
【００２０】
請求項３の発明によれば、介助者用グリップに設けられたクラッチ解除操作部を操作することによりクラッチ機構の接続が電気的に解除されるため、非常に軽い操作力で素早くクラッチ機構の接続を断つことができ、クラッチ解除操作部の操作性を向上させることができる。また、クラッチ解除操作部が介助者用グリップの把持部前面に設けられているため、他の物体がクラッチ解除操作部に当たる等してクラッチ解除操作部が誤操作することを防止できる。
【００２１】
請求項４の発明によれば、介助者用グリップを把持する介助者が人差し指でクラッチ解除操作部を操作することができるため、介助者用グリップを強い握力で把持しつつクラッチ解除操作を行うことができ、この点でもクラッチ解除操作部の操作性を向上させることができる。
【発明を実施するための最良の形態】
【００２２】
以下、本発明の実施形態を図面に基づいて説明する。図１は本発明に係る電動車椅子の一実施形態を示す左斜め前方から見た斜視図、図２は同じく左斜め後方から見た斜視図、図３〜図６はそれぞれ電動車椅子の平面図、左側面図、正面図、後面図であり、図７は電動車椅子に使用者が座った状態を示す左側面図である。
【００２３】
この電動車椅子１の主要部となる椅子部分２は、着座部３と、着座部３の後端部から上方に立ち上がる背もたれ部４と、左右一対の肘掛部５とを備えており、椅子部分２の前下方に足載せ用の平板状のフットレスト７が配置されている。
【００２４】
椅子部分２の前下部左右両側には前輪９が配置され、椅子部分２の後下部左右両側には後輪１０が配置されている。左右の前輪９の径は例えば２０インチ程度であり、その中心部内面側にそれぞれ電動モーター１１が設けられ、各々の前輪９は電動モーター１１により直接的に駆動される駆動輪となっている。一方、後輪１０はキャスター式の従動輪であり、自在に首を振って操向が可能になっており、その径は例えば１０〜１２インチ程度である。
【００２５】
前輪９の車軸、即ち電動モーター１１の上下前後位置は、前輪９の外周上縁の高さが着座部３の上面とほぼ同じ高さとなり、前輪９の前半部が着座部３の前端よりも前方に突出してこの前輪９の前半部がフットレスト７を左右両側から挟むように設定されている。
【００２６】
また、椅子部分２の、着座部３から背もたれ部４の下半分までの左右両側部分と、着座部３の前端部下方の部分とが、例えば樹脂製のボディーカバー１４に覆われており、このボディーカバー１４には左右の前輪９の上部および前半部を車幅方向内側および上方から覆うホイールカバー１５が一体に形成されている。ホイールカバー１５の内側面には柔らかな緩衝パッド１６が貼着されている。
【００２７】
そして、着座部３の下方には、電動モーター１１に電力を供給するバッテリー１８およびその充電器１９と、コントローラー２０等の機器類がボディーカバー１４に覆われるようにして配置されている。これらの機器類１８〜２０は側面視で着座部３下の最も前方に配置され、前輪９の車軸（電動モーター１１）の上方付近に位置してボディーカバー１４に覆われている。
【００２８】
椅子部分２の前方にはフロントバー２３が車幅方向に延在している。このフロントバー２３は左右の肘掛部５の前端同士を連結するように架設され、例えばフロントバー２３の右端が右側の肘掛部５の前端にヒンジ部２４を介して回動自在に連結され、フロントバー２３の左端が左側の肘掛部５の前端に係脱機構２５を介して係脱可能に連結されている。
【００２９】
フロントバー２３の中間部上面には操舵手段としての操舵ハンドル機構２７が設けられており、この操舵ハンドル機構２７には操舵ハンドル２８が付設され、さらに操舵ハンドル２８にアクセルレバー２９が設けられている。
【００３０】
操舵ハンドル２８を左右に回動操作すると同時にアクセルレバー２９を適宜操作することにより、バッテリー１８の電圧がコントローラー２０に制御されて左右の電動モーター１１に個別に供給され、これにより左右の前輪９の回転速度が設定され、電動車椅子１の前進、後進、停止、左右旋回、左右回転といった動作が実行される。このため、ジョイスティックレバー方式の操舵手段のように特別な訓練を必要とせず、高齢者でも容易に電動車椅子１を操縦することができる。また、アクセルレバー２９を放せば電動モーター１１に逆起電力が発生して前輪９の回転抵抗となり、即座に電動車椅子１にブレーキが掛かる。
【００３１】
フロントバー２３は、左端の係脱機構２５の係止を解除することにより、ヒンジ部２４を軸に前方へ回動させて、図３および図４中に示すように走行位置２３ａからスイングアウト位置２３ｂまで動かすことができる。また、左右の肘掛部５は、図１、図２に示すヒンジ軸３２または図４に示すヒンジ軸３３を軸に上方へ動かすことによりポップアップ位置５ａまで跳ね上げることができる。
【００３２】
背もたれ部４の上下方向中間部には、図１、図２に示す角度調整軸３４、または図４に示す角度調整軸３５が設けられている。この角度調整軸３４，３５は車幅方向に延びており、その高さは肘掛部５の高さ付近に設定されている。そして、角度調整軸３４，３５を軸にして背もたれ部４の上半分の前後方向の傾斜角度を図４中に線４ａから線４ｂで示す範囲で調整することができる。
【００３３】
図２に示すように、背もたれ部４の後面には、背もたれ部４の上半分の前後方向傾斜角度を変更する角度変更手段としての角度変更装置３６が設けられており、この角度変更装置３６に内蔵された電動モーター等のアクチュエーターにより背もたれ部４の上半分の角度が変更される。そして、角度変更装置３６を操作する角度変更手段操作部としての角度変更スイッチ３７（図３参照）が操舵ハンドル２８の部分に設けられている。
【００３４】
ところで、図４に示すように、フットレスト７は左右一対の前側リンク４１および後側リンク４２よりなる平行リンク機構４０に支持されており、地面に対して平行な角度のまま走行位置７ａと乗降位置７ｂとの間を移動することができる。前側リンク４１の回動中心は例えば前輪９の車軸位置に合致しているが、この付近であれば別な場所でもよい。
【００３５】
フットレスト７の高さは、走行位置７ａでは前輪９の車軸の高さよりもやや下方であり、乗降位置７ｂでは地面に接する高さである。また、フットレスト７の前後位置は、走行位置７ａでは前輪９の前端部とほぼ同位置であり、乗降位置７ｂでは着座部３の前端および前輪９の車軸よりもやや前方である。
【００３６】
平行リンク機構４０の後側リンク４２には、その回動点付近にクランクリンク４３が回動一体に設けられており、このクランクリンク４３の先端と、着座部３の下方に設けられたピボット軸４４との間に伸縮式のフットレストアクチュエーター４５が連結されている。このフットレストアクチュエーター４５が伸びるとフットレスト７が走行位置７ａに上昇し、フットレストアクチュエーター４５が縮むとフットレスト７が乗降位置７ｂに下降する。
【００３７】
一方、椅子部分２（着座部３）の後下部には車幅方向に延びるチルト軸５０が設けられており、このチルト軸５０には左右一対のチルトアーム５１が回動一体に設けられ、これらのチルトアーム５１にキャスターアーム５２を介して後輪１０が支持されている。キャスターアーム５２はチルトアーム５１の後端から後斜め下方に延びており、チルトアーム５１に対しキャスター軸Ｃ回りに回動自在であるため、後輪１０がキャスター式の従動輪（操舵輪）として機能することができる。
【００３８】
チルトアーム５１がチルト軸５０を中心に回動することにより、後輪１０は図８に示すように走行位置１０ａと乗降位置１０ｂとの間の範囲を移動する。乗降位置１０ｂでは走行位置１０ａよりも前後輪９，１０間のホイールベースが１０数cm程短くなり、その際に後輪１０のキャスターアーム５２がほぼ垂直に起立して椅子部分２の後部を上方に押し上げるため、椅子部分２全体が前輪９の車軸を中心に前方へ傾斜する。この時の椅子部分２の位置が乗降位置２ｂとなり、後輪１０が走行位置１０ａにある時における椅子部分２の位置が走行位置２ａとなる。
【００３９】
チルトアーム５１の中間部に設けられたピボット軸５７と、背もたれ部４の中間部に設けられたピボット軸５８との間には伸縮式のチルトアクチュエーター５９（例えばガススプリング）が連結されており、このチルトアクチュエーター５９が縮むと後輪１０と椅子部分２がそれぞれ走行位置１０ａ，２ａとなり、チルトアクチュエーター５９が伸びると後輪１０と椅子部分２がそれぞれ乗降位置１０ｂ，２ｂとなる。
【００４０】
例えばフロントバー２３を走行位置２３ａからスイングアウト位置２３ｂまで動かすことにより、ヒンジ部２４に設けた乗降スイッチ６１（図３、図４参照）がONになり、フットレストアクチュエーター４５とチルトアクチュエーター５９が連動してフットレスト７が乗降位置７ｂに下降するとともに、後輪１０と椅子部分２がそれぞれ乗降位置１０ｂと２ｂに変位する。
【００４１】
これにより、図８に示すように、フットレスト７に載せられた使用者の足が地面に付けたのと同じ状態（高さ）となり、しかも椅子部分２全体が前傾して着座部３の前端の高さが低くなるため、使用者は非常に楽な体勢で電動車椅子１に乗降することができる。この時、フットレスト７が地面に接していることから電動車椅子１の安定性も良好に保たれる。
【００４２】
フロントバー２３が走行位置２３ａからスイングアウト位置２３ｂに動かされて乗降スイッチ６１がONになると、まずフットレストアクチュエーター４５が起動してフットレスト７を走行位置７ａから乗降位置７ｂに下降させ、次にチルトアクチュエーター５９が起動して椅子部分２を走行位置２ａから乗降位置２ｂに変位させる。
【００４３】
このように、フットレストアクチュエーター４５の起動タイミングに対してチルトアクチュエーター５９の起動タイミングを遅らせることにより、フットレスト７が確実に地面に接してから椅子部分２が前傾を始めるので、使用者が電動車椅子１から降りる（立ち上がる）際には使用者の足が地面から離れた状態の時に椅子部分２が前傾することがなく、使用者は安心して降りることができる。
【００４４】
また、フロントバー２３がスイングアウト位置２３ｂから走行位置２３ａに動かされて乗降スイッチ６１がOＦＦになると、まずチルトアクチュエーター５９が起動して椅子部分２を乗降位置２ｂから走行位置２ａに戻し、次にフットレストアクチュエーター４５が起動してフットレスト７を乗降位置７ｂから走行位置７ａに上昇させる。よって、使用者が電動車椅子１に座る際には使用者の足が地面から離れた状態で椅子部分２が後傾することがなく、使用者は不安感を感じることがない。
【００４５】
チルトアクチュエーター５９は電動車椅子１の走行時、即ち椅子部分２が走行位置２ａにある時には後輪１０のサスペンション機構としても機能する。この時のチルトアクチュエーター５９は弾性伸縮可能になり、後輪１０が路面の凹凸形状に応じて上下に揺動可能になるため、電動車椅子１の乗り心地と安定性が向上する。
【００４６】
この電動車椅子１は、前輪９の外周上縁の高さを着座部３の上面とほぼ同じ高さに設定するとともに、前輪９の前半部を着座部３の前端よりも前方に突出させて前輪９の前半部がフットレスト７を左右両側から挟むように前輪９の車軸の前後位置を設定したため、前後輪９，１０間のホイールベースを長くして電動車椅子１の走行安定性を向上させるとともに、前輪９にフットレスト７のガードの役割を付与してフットレスト７が障害物に当たることを効果的に防止できる。
【００４７】
しかも、左右の前輪９の前半部を車幅方向内側から覆うホイールカバー１５を設けたため、使用者の下肢および足部が前輪９に干渉することを防止して、使用者にリラックスした体勢で乗車してもらうことができる。
【００４８】
その上、使用者は電動車椅子１の走行に伴う上半身の揺れ等を下肢（膝等）をホイールカバー１５（緩衝パッド１６）に当接させることにより支えることができるため、長時間の使用においても疲労度を感じることなく快適に電動車椅子１を使用することができる。
【００４９】
また、背もたれ部４の上下方向中間部に角度調整軸３５を設け、この角度調整軸３５の高さを肘掛部５の高さ付近に設定し、背もたれ部４の上半分の前後方向傾斜角度を調整可能にしたため、背もたれ部４の上半分の角度を適正に調整することにより、操舵ハンドル２８を操作する使用者が無意識に操舵ハンドル２８に近づこうとしても、使用者の上半身が背もたれ部４から離れることを防止して使用者の上半身の安定性を向上させることができる。
【００５０】
さらに、背もたれ部４の上半分の前後方向傾斜角度を変更する角度変更装置３６を設け、この角度変更装置３６を操作する角度変更スイッチ３７を操舵ハンドル２８の部分に設けたため、使用者が自ら角度変更スイッチ３７を操作して角度変更装置３６を動かすことにより、背もたれ部４の上半分の前後方向傾斜角度を最適な角度に容易に調整することができる。
【００５１】
ところで、図２、図６、図９に示すように、背もたれ部４の後面の上部左右両側には前方へ凹む左右一対の凹部６５が設けられており、この凹部６５に介助者用グリップ６６が固定されている。この介助者用グリップ６６は背もたれ部４の後面に沿って上下方向に延びているが、図１０に示すように左右方向に延びるように形成してもよい。介助者が電動車椅子１を手で押す場合は両手で左右の介助者用グリップ６６を掴んで押す。
【００５２】
介助者用グリップ６６の把持部前面には、例えばボタン状、あるいは引き金状のクラッチ解除操作部６７が設けられている。このクラッチ解除操作部６７は、電動モーター１１と前輪９との間に設けられたクラッチ機構の接続を電気的に解除するスイッチであり、上述のような介助者の手押しによる走行時に前輪９の回転により電動モーター１１が逆駆動されて前輪９の回転が重くなるのを防ぐものである。
【００５３】
クラッチ解除操作部６７は、図９に示すように介助者用グリップ６６が上下方向に延びる場合は介助者用グリップ６６の把持部の上端部に設けられ、図１０に示すように介助者用グリップ６６が左右方向に延びる場合は介助者用グリップ６６の把持部の内端部に設けられる。介助者はこのクラッチ解除操作部６７を人差し指で押しながら介助者用グリップ６６を掴んで電動車椅子１を動かす。
【００５４】
クラッチ解除操作部６７はクラッチ機構の接続を電気的に解除するスイッチであるため、非常に軽い操作力で素早くクラッチ機構の接続を断つことができ、操作性が良い。また、クラッチ解除操作部６７が介助者用グリップ６６の把持部前面に設けられているため、他の物体がクラッチ解除操作部６６に当たる等してもクラッチ解除操作部６７の誤操作を防止できる。
【００５５】
しかも、介助者用グリップ６６を把持する介助者が人差し指でクラッチ解除操作部６７を操作することができるため、介助者は親指と中指と薬指と小指とで介助者用グリップ６６を強く把持しつつ人差し指でクラッチ解除操作を行うことができ、介助者用グリップ６６の把持力を損なうことなくクラッチ解除操作部６７の操作性を向上させることができる。
【図面の簡単な説明】
【００５６】
【図１】本発明に係る電動車椅子の一実施形態を示す左斜め前方から見た斜視図。
【図２】電動車椅子を左斜め後方から見た斜視図。
【図３】電動車椅子の平面図。
【図４】電動車椅子の左側面図。
【図５】電動車椅子の正面図。
【図６】電動車椅子の後面図。
【図７】電動車椅子に使用者が座った状態を示す左側面図。
【図８】電動車椅子の作用を示す左側面図。
【図９】背もたれ部上部の介助者用グリップ付近を示す左側面図。
【図１０】背もたれ部上部の介助者用グリップ付近を示す平面図。
【符号の説明】
【００５７】
１  電動車椅子
２  椅子部分
３  着座部
４  背もたれ部
５  肘掛部
７  フットレスト
９  前輪
１０  後輪
１１  電動モーター
１５  ホイールカバー
２７  操舵手段としての操舵ハンドル機構
２８  操舵ハンドル
２９  アクセルレバー
３５  角度調整軸
３６  角度変更手段としての角度変更装置
３７  角度変更手段操作部としての角度変更スイッチ
６５  凹部
６６  介助者用グリップ
６７  クラッチ解除操作部
【図１】
0004617718.tif 000002
【図２】
0004617718.tif 000003
【図３】
0004617718.tif 000004
【図４】
0004617718.tif 000005
【図５】
0004617718.tif 000006
【図６】
0004617718.tif 000007
【図７】
0004617718.tif 000008
【図８】
0004617718.tif 000009
【図９】
0004617718.tif 000010
【図１０】
0004617718.tif 000011